(57)【要約】【課題】  中間調の表現力が乏しい記憶性表示体を用いた場合に、表示対象コンテンツや閲覧情報が見づらくなってしまうことを防止すること。【解決手段】  表示対象コンテンツの属性に応じた形式で、互いに異なる領域に、表示対象コンテンツ及び閲覧情報を表示するようにした。そのため、表示対象コンテンツと閲覧情報とが重なることを防止することができる。その結果、表示対象コンテンツに閲覧情報を中間調で重ねて（ウォーターマーク形式で）表示する方法と異なり、中間調の表現力が乏しい記憶性表示体を用いた場合に、表示対象コンテンツや閲覧情報が見づらくなってしまうことを防止することができる。【選択図】  図９
2006261727.tif 000002
【特許請求の範囲】
【請求項１】
表示対象コンテンツと共に付加情報を所定の表示体に表示する情報表示装置であって、
前記表示対象コンテンツの属性に応じた形式で、互いに異なる領域に、前記表示対象コンテンツ及び前記付加情報を表示する表示手段を備えたことを特徴とする情報表示装置。
【請求項２】
前記表示手段は、前記表示対象コンテンツを所定の空き領域を有するレイアウトで表示すると共に、前記空き領域に前記付加情報を表示することを特徴とする請求項１に記載の情報表示装置。
【請求項３】
前記表示手段は、前記表示対象コンテンツを縮小して表示すると共に、前記縮小によって生じた空き領域に前記付加情報を表示することを特徴とする請求項１又は２に記載の情報表示装置。
【請求項４】
前記表示手段は、前記表示対象コンテンツの各ページの互いに同じ位置に空き領域がある場合には、前記表示対象コンテンツをそのまま表示すると共に、前記同じ位置の空き領域に付加情報を表示することを特徴とする請求項１から３のいずれか１項に記載の情報表示装置。
【請求項５】
前記付加情報は、前記表示対象コンテンツを表示させた現在及び過去のユーザの情報を含むことを特徴とする請求項１から４のいずれか１項に記載の情報表示装置。
【請求項６】
前記表示体は、電源の供給を停止しても表示状態を維持する記憶性表示体であることを特徴とする請求項１から５のいずれか１項に記載の情報表示装置。
【発明の詳細な説明】
【技術分野】
【０００１】
本発明は、表示対象コンテンツと共に付加情報を所定の表示体に表示する情報表示装置に関する。
【背景技術】
【０００２】
従来、この種の技術としては、例えば、表示対象コンテンツに、当該表示対象コンテンツの外部流出や改ざんを防止するための付加情報を中間調で重ねて表示する（所謂ウォーターマークを表示する）文書管理装置がある（特許文献１参照）。
【０００３】
また、このような表示対象コンテンツを表示可能な表示体としては、例えば、コレステリック液晶や、ツイストネマティック液晶等の記憶性表示体が知られている。
【特許文献１】特開２００４−２１３１２８号公報
【発明の開示】
【発明が解決しようとする課題】
【０００４】
ところで、上記従来の技術を組み合わせ、記憶性表示体を用いた装置にあっても、表示対象コンテンツに付加情報を中間調で重ねて表示することが考えられる。しかしながら、一般に、記憶性表示体に適切な中間調を表現させることは難しいため、それらを重ねて表示することで、表示対象コンテンツや付加情報が見づらくなってしまう恐れがあった。
本発明は、上記従来の技術の未解決の課題を解決することを目的としてなされたものであって、中間調の表現力が乏しい表示体を用いた場合に、表示対象コンテンツや閲覧情報が見づらくなってしまうことを防止できる情報表示装置を提供することを課題とする。
【課題を解決するための手段】
【０００５】
上記課題を解決するために、本発明の情報表示装置は、表示対象コンテンツと共に付加情報を所定の表示体に表示する情報表示装置であって、前記表示対象コンテンツの属性に応じた形式で、互いに異なる領域に、前記表示対象コンテンツ及び前記付加情報を表示する表示手段を備えたことを特徴とする。
また、前記表示手段は、前記表示対象コンテンツを所定の空き領域を有するレイアウトで表示すると共に、前記空き領域に前記付加情報を表示するようにしてもよい。
【０００６】
さらに、前記表示手段は、前記表示対象コンテンツを縮小して表示すると共に、前記縮小によって生じた空き領域に前記付加情報を表示するようにしてもよい。
また、前記表示手段は、前記表示対象コンテンツの各ページの互いに同じ位置に空き領域がある場合には、前記表示対象コンテンツをそのまま表示すると共に、前記同じ位置の空き領域に付加情報を表示するようにしてもよい。
【０００７】
また、前記表示体は、電源の供給を停止しても表示状態を維持する記憶性表示体であってもよい。
このような構成によれば、表示対象コンテンツと付加情報とが重なることを防止することができる。そのため、表示対象コンテンツに付加情報を中間調で重ねて（ウォーターマーク形式で）表示する方法と異なり、中間調の表現力が乏しい表示体を用いた場合に、表示対象コンテンツや付加情報が見づらくなってしまうことを防止することができる。
【０００８】
さらに、前記付加情報は、前記表示対象コンテンツを表示させた現在及び過去のユーザの情報を含むようにしてもよい。
このような構成によれば、例えば、コンテンツのデータが複数のユーザ間で受け渡しされた場合には、その受け渡しの経路を調査することができる。
【発明を実施するための最良の形態】
【０００９】
以下、本発明に係る情報表示装置の一実施形態を図面に基づいて説明する。
＜情報表示装置の構成＞
図１は、本発明を適用した情報表示装置１の内部構成を示すブロック図である。この情報表示装置１は、図１に示すように、表示対象となるコンテンツの選択操作や指紋の認識操作、パスワードの入力操作等の各種操作を行わせる操作部２、及び前記選択されたコンテンツを表示する表示部３を含んで構成される。
【００１０】
＜操作部の構成＞
操作部２は、ＣＰＵ（Central Processing Unit）１０、プログラム記憶部２０、表示駆動部３０、指紋読み取り部４０、キーボード５０、データＩ／Ｆ（Inter Face）６０、及び電源６０を含んで構成される。
【００１１】
ＣＰＵ１０は、指紋読み取り部４０やキーボード５０から入力される各種の指示情報に従って、プログラム記憶部２０に記憶された各種処理に関するプログラムや当該プログラムに関するデータを読み出して実行し、操作部２全体を制御する。そして、ＣＰＵ１０は、前記実行された各種処理の処理結果をプログラム記憶部２０に格納し、また、当該処理結果を表示させる（描画する）描画データを表示駆動部３０に出力する。
【００１２】
プログラム記憶部２０は、不揮発性のメモリによって構成される。そして、プログラム記憶部２０は、表示部３の各部を制御するための各種プログラムやデータ（例えば、情報表示装置１によってコンテンツの閲覧が許されているユーザの情報（以下、「ユーザ情報」とも呼ぶ。）を格納する。ここで、ユーザ情報は、図２に示すように、ユーザに設定されているＩＤ番号（ユーザＩＤ）、ユーザの指紋の特徴を示すデータ（指紋特徴データ）、及び操作部２がユーザを認証した日時（認証時間）を含んで構成される。
【００１３】
表示駆動部３０は、表示パネル２６０ａを直接駆動し、ＣＰＵ１０から出力される描画データ（各種処理結果）を表示パネル３０ａに表示させる（描画する）。
指紋読み取り部４０は、ユーザが指でなぞると、なぞった指の指紋パターンを読み取り、その読み取った指紋パターンの情報をＣＰＵ１０に出力する。
キーボード５０は、数字キーや文字キー等の各種キーが押し下げ操作されると、その操作されたキーの情報をＣＰＵ１０に出力する。
【００１４】
データＩ／Ｆ６０は、表示部３とデータを送受信するためのインターフェースである。
電源６０は、一次電池或いは二次電池によって構成される。そして、電源６０は、操作部２全体に各部を適切に動作させるための電力を供給する。
【００１５】
＜操作部の機能部＞
また、指紋認証部１００及びキー解除部１１０は、ＣＰＵ１０によって実現される機能部である。
【００１６】
指紋認証部１００は、コンテンツの表示要求があると、指紋認証処理を実行する。そして、指紋認証処理が実行されると、まず、指紋読み取り部４０から指紋パターンの情報を読み込み、その指紋パターンと一致する指紋特徴データをユーザ情報から検出する。次いで、その検出された指紋特徴データに対応するユーザＩＤを検出し、そのユーザＩＤにおける認証時間を設定する（ユーザを認証する）。
【００１７】
キー解除部１１０は、前記指紋認証処理によって認証時間が設定されると、キー解除処理を実行する。そして、キー解除処理が実行されると、表示要求のあったコンテンツ（以下、「表示対象コンテンツ」とも呼ぶ。）に設定されているパスワード（以下、「文書キー」とも呼ぶ。）を表示部３から受信し、その文書キーとユーザに入力させたパスワードとが合致するか否かを判定する。そして、それらが合致する場合には合致通知を表示部３に送信し、合致しなかった場合には非合致通知を表示部３に送信する。
【００１８】
＜表示部の構成＞
一方、表示部３は、図１に示すように、データＩ／Ｆ２００、ストレージ２１０、ＣＰＵ２２０、プログラム記憶部２３０、ＮＶＲＡＭ２４０、グラフィックアクセラレータ２５０、表示駆動部２６０、表示パネル２６０ａ、入力制御部２７０、ＨＩ（Human Interface）装置２７０ａ、及び電源２８０を含んで構成される。
【００１９】
データＩ／Ｆ２００は、操作部２と表示部３との間でデータを送受信するためのインターフェースであり、例えば、通信インターフェース等によって構成される。
ストレージ２１０は、不揮発性のメモリによって構成される。そして、ストレージ２１０は、表示対象となるコンテンツに関する情報（以下、「文書データ」とも呼ぶ。）群を格納する。ここで、文書データは、図３（ａ）に示すように、文書メタデータ（ファイル名、タイトル、サムネイル数、文書方向、ページ数、閲覧者履歴）、サムネイルブロック情報、ページブロック情報、バンド情報、サムネイル画像のデータ、及びページ画像のデータを含んで構成される。閲覧履歴は、図３（ｂ）に示すように、文書コードの生成者の情報（印刷者コード）、当該コンテンツを表示させたユーザの情報（閲覧者コード）を先頭から順に含んで構成される。また、サムネイルブロック情報は、図３（ｃ）に示すように、ＩＤ、データへのオフセット、及びデータサイズを含んで構成される。
【００２０】
ＣＰＵ２２０は、入力制御部２７０から入力される各種の指示情報に従って、プログラム記憶部２３０に記憶された各種処理に関するプログラムや当該プログラムに関するデータを読み出して実行し、表示部３全体を制御する。そして、ＣＰＵ２２０は、ストレージ２１０に記憶されている表示対象コンテンツを表示パネル２６０ａに描画して表示させるための各種処理を行い、その処理結果をＮＶＲＡＭ２４０に格納する。
【００２１】
プログラム記憶部２３０は、不揮発性のメモリによって構成される。そして、プログラム記憶部２３０は、表示部３の各部を制御するための各種プログラムを格納する。
ＮＶＲＡＭ２４０は、ＦＲＡＭ（Ferroelectric Random Access Memory）、ＭＲＡＭ（Magnetoresistive Random Access Memory）、ｎｖＳＲＡＭ（non-volatile Static Random Access Memory）等の不揮発性メモリ（電源を切断しても保持データが維持されるメモリ）で構成される。そして、ＮＶＲＡＭ２４０は、ＣＰＵ２２０による各種処理実行時に、その処理結果を格納する。
【００２２】
グラフィックアクセラレータ２５０は、ＣＰＵ２２０の命令に従って、表示パネル２６０ａに表示する画像の描画処理を行うためのハードウェアである。具体的には、グラフィックアクセラレータ２５０は、ＣＰＵ２２０から入力されるページ画像のデータを展開する。そして、グラフィックアクセラレータ２５０は、前記描画処理を行った図形を表示パネル２６０ａに描画するための描画データを表示駆動部２６０に出力する。
【００２３】
表示駆動部２６０は、表示パネル２６０ａを直接制御し、グラフィックアクセラレータ２５０から入力される描画データを表示パネル２６０ａに描画する。具体的には、表示駆動部２６０は、グラフィックアクセラレータ２５０によって描画データが入力される画素書き込み部２６１を備える。そして、表示駆動部２６０は、画素書き込み部２６１に入力された描画データを参照して、表示パネル２６０ａのＸドライバ及びＹドライバを駆動することにより、前記入力された描画データを表示パネル２６０ａに描画する。
【００２４】
また、表示パネル２６０ａは、Ａ４サイズの高画素密度（多ピクセル）の記憶性表示装置（電源を切断しても表示画面が維持される表示装置）で構成される。そして、表示パネル２６０ａは、表示駆動部２６０の制御に応じて、所定画素に画素データを表示する。なお、表示パネル２６０ａとして、例えば、電気泳動ディスプレイ、コレステリック液晶ディスプレイ、或いはエレクトロデポジションディスプレイ等を採用することができる。
【００２５】
入力制御部２７０は、ＨＩ装置２７０ａからＣＰＵ２２０への信号入力を制御するインターフェースの機能を有している。そして、入力制御部２７０は、ＨＩ装置２７０ａから入力される情報に従って、所定処理を施し、その処理結果をＣＰＵ２２０に出力する。
ＨＩ装置２７０ａは、上下左右の各方向を指示可能な十字形の方向ボタンや押下操作可能なボタン形の決定ボタン等の入力装置によって構成される。そして、ＨＩ装置２７０ａは、ユーザから表示部３に対する指示入力を受け付けることが可能となっている。
【００２６】
電源２８０は、一次電池或いは二次電池によって構成される。そして、電源２８０は、表示部３全体に各部を適切に動作させるための電力を供給する。
【００２７】
＜表示部の機能部＞
また、閲覧情報合成部３００、解析・整形部３１０、及び描画処理部３２０は、ＣＰＵ２２０及びグラフィックアクセラレータ２５０によって実現される機能部である。
【００２８】
閲覧情報合成部３００は、指紋認証処理によって認証時間が設定されると、閲覧情報合成処理を実行する。そして、閲覧情報合成処理が実行されると、表示対象コンテンツの文書キーを表示部３に送信し、さらに、操作部２から合致通知が送信されたか否かを判定する。そして、合致通知が送信された場合には閲覧情報付き表示処理を実行し、非合致通知が送信された場合にはコンテンツを表示できないことを報知するメッセージを表示する。
【００２９】
また、閲覧情報合成部３００は、表示対象コンテンツの文書データのページ画像の属性に基づいてスタイルを設定し、解析・整形部３１０で当該スタイルが設定された文書データの描画要素に、表示対象コンテンツの文書データに含まれるタイトル及び二次元バーコードで表した閲覧履歴と、前記ステップＳ３０２で受信されたユーザＩＤとを含む情報群（以下、「閲覧情報」とも呼ぶ。）を付加する閲覧情報付き表示処理を実行する。
【００３０】
解析・整形部３１０は、ストレージ２１０に記憶されている文書データに含まれるページ画像のデータを、ページ等の表示単位ごとに、閲覧情報合成部３００で設定されたスタイルに従って配置して、指定されたスタイルの描画要素に展開する。
また、解析・整形部３１０は、表示パネル２６０ａに表示対象コンテンツを表示するために、文書データの全体或いは最先に表示する部分を予め描画要素に展開し、展開した文書データ、ユーザ情報及び閲覧履歴をＮＶＲＡＭ２４０に記憶させる。なお、解析・整形部３１０によって生成された画像データの形式を「中間形式」とも呼ぶ。
【００３１】
描画処理部３２０は、表示対象である中間形式のデータを処理し、表示パネル２６０ａの画素数に応じたビットマップを生成する。即ち、描画処理部３２０は、連続直線、ベジェ曲線或いは多角形等の図形を直線分解する処理（所定のベクトルの和に分解する処理）を行い、さらに、直線や円弧等の通過点となる画素位置の算出を行う等、中間形式のデータに含まれているベクトル画像をビットマップ化する一連の処理を行う。そして、描画処理部３２０は、ビットマップ化されたデータを表示駆動部３０に出力する。
【００３２】
＜情報表示装置の動作＞
次に、操作部２の指紋認証部１００（ＣＰＵ１０）で実行される指紋認証処理を図４のフローチャートに従って説明する。この指紋認証処理は、ユーザによるコンテンツの表示要求があると実行される処理であって、図４に示すように、まずそのステップＳ１０１で、表示駆動部３０を制御し、図５に示すように、指紋読み取り部４０を指でなぞる行動をユーザに促すメッセージ（例えば、「指紋認証を行います。指紋読み取り部を指でなぞってください。」）を表示パネル３０ａに表示させる指紋要求画面表示処理を実行する。
【００３３】
ステップＳ１０２に移行して、指紋読み取り部４０で読み取られる指紋パターンの情報を読み込む。
次にステップＳ１０３に移行して、前記ステップＳ１０２で読み込まれた指紋パターンの情報と、プログラム記憶部２０に格納されているユーザ情報の指紋特徴データとに基づいて、当該指紋パターンの特徴が予め登録されているユーザの指紋パターンの特徴と一致するか否かを判定する。そして、それらが一致する場合には（Ｙｅｓ）ステップＳ１０４に移行し、一致しない場合には（Ｎｏ）ステップＳ１０７に移行する。
【００３４】
前記ステップＳ１０４では、前記ステップＳ１０３で指紋パターンと特徴が一致すると判定された指紋特徴データに対応するユーザＩＤを検出し、そのユーザＩＤにおける認証時間として現在の時刻を設定する。
次にステップＳ１０５に移行して、前記ステップＳ１０４で設定された認証時間から１時間以上経過したか、あるいはユーザから電源遮断命令があったか否かを判定する。そして、１時間以上経過した、あるいは電源遮断命令があった場合には（Ｙｅｓ）ステップＳ１０６に移行し、そうでない場合には（Ｎｏ）この判定を繰り返し実行する。
【００３５】
前記ステップＳ１０６では、プログラム記憶部２０に格納されているユーザ情報の認証時間を「０」としてから、この演算処理を終了する。
一方、前記ステップＳ１０７では、この演算処理が開始されてから前記ステップＳ１０２が実行された回数が閾値（再入力上限回数）より大きいか否かを判定する。そして、再入力上限回数より大きい場合には（Ｙｅｓ）この演算処理を終了し、再入力上限回数以下である場合には（Ｎｏ）前記ステップＳ１０７に移行する。
【００３６】
次に、操作部２のキー解除部１１０（ＣＰＵ１０）で実行されるキー解除処理を図６（ａ）のフローチャートに従って説明する。このキー解除処理は、前記指紋認証処理によって認証時間が設定されると実行される処理であって、図６（ａ）に示すように、まずそのステップＳ２０１で、ユーザ情報に認証時間が設定されているユーザがいるか否かを判定する。そして、当該ユーザがいる場合には（Ｙｅｓ）ステップＳ２０２に移行し、当該ユーザがいない場合には（Ｎｏ）ステップＳ２０６に移行する。
【００３７】
前記ステップＳ２０２では、まず、表示対象コンテンツの文書キーの送信を要求する要求信号を表示部３に送信し、さらに、表示部３から出力される文書キーを受信する。
次にステップＳ２０３に移行して、表示駆動部３０を制御し、図７に示すように、キーボード５０によるパスワードの入力をユーザに促すメッセージ（例えば、「パスワードを入力してください。」）を表示パネル３０ａに表示させるパスワード要求画面表示処理を実行する。
【００３８】
次にステップＳ２０４に移行して、前記ステップＳ２０２で受信された文書キーと、キーボード５０によって入力されたパスワードとが合致するか否かを判定する。そして、それらが合致する場合には（Ｙｅｓ）ステップＳ２０５に移行し、合致しない場合には（Ｎｏ）ステップＳ２０６に移行する。
前記ステップＳ２０５では、前記ステップＳ２０２で受信された文書キーとキーボード５０によって入力されたパスワードとが合致する旨を通知する合致通知と、前記指紋認証処理で設定された認証時間に対応するユーザＩＤとを表示部３に送信してから、この演算処理を終了する。
【００３９】
一方、前記ステップＳ２０６では、この演算処理が開始されてから前記ステップＳ２０３が実行された回数が閾値（再入力上限回数）より大きいか否かを判定する。そして、再入力上限回数より大きい場合には（Ｙｅｓ）ステップＳ２０７に移行し、再入力上限回数以下である場合には（Ｎｏ）前記ステップＳ２０３に移行する。
前記ステップＳ２０７では、前記ステップＳ２０２で受信された文書キーとキーボード５０によって入力されたパスワードとが合致しない旨を通知する非合致通知を表示部３に送信してから、この演算処理を終了する。
【００４０】
次に、表示部３の閲覧情報合成部３００、及び解析・整形部３１０（ＣＰＵ２２０）で実行される閲覧情報合成処理を図６（ｂ）のフローチャートに従って説明する。この閲覧情報合成処理は、前記指紋認証処理によって認証時間が設定されると実行される処理であって、図６（ｂ）に示すように、そのステップＳ２０１で、操作部２から要求信号が表示部３に出力されると、表示対象コンテンツの文書キーを操作部２に送信してから、ステップＳ３０２に移行する。
【００４１】
前記ステップＳ３０２では、操作部２から送信される合致通知又は非合致通知を受信してから、ステップＳ３０３に移行する。
前記ステップＳ３０３では、前記ステップＳ３０２で合致通知を受信したか否かを判定する。そして、合致通知を受信した場合には（Ｙｅｓ）ステップＳ３０４に移行し、非合致通知を受信した場合には（Ｎｏ）ステップＳ３０５に移行する。
【００４２】
前記ステップＳ３０４では、閲覧情報付き表示処理を実行してから、この演算処理を終了する。
一方、前記ステップＳ３０５では、図８に示すように、表示対象コンテンツを表示することができない旨を通知するメッセージ（例えば、「パスワードを解除できなかったので、この文書を表示できません。」）を表示パネル３０ａに表示させる文書表示付加通知処理を実行してから、この演算処理を終了する。
【００４３】
次に、前記閲覧情報合成処理のステップＳ３０４で実行される閲覧情報付き表示処理を図９のフローチャートに従って説明する。この閲覧情報付き表示処理は、図９に示すように、まずそのステップＳ４０１で、表示対象コンテンツの文書データに含まれるページ画像のデータがページレイアウトを設定可能な形式のものであるか否かを判定する。具体的には、当該ページ画像データがテキストデータを含むもの（テキストベース）であるか否かを判定する。そして、テキストベースである場合には（Ｙｅｓ）ステップＳ４０２に移行し、テキストベースでない場合には（Ｎｏ）ステップＳ４０５に移行する。
【００４４】
前記ステップＳ４０２では、閲覧情報の描画データを所定サイズに生成する。
次にステップＳ４０３に移行して、表示対象コンテンツのページ画像のデータを表示させるときのページレイアウトを設定するページテンプレートの右下隅に、前記ステップＳ４０２で生成された描画データを表示するための空き領域を設ける。
次にステップＳ４０４に移行して、まず、前記ステップＳ４０３で空き領域が形成されたページテンプレートに基づいて、表示対象コンテンツのページ画像のデータのレイアウトを設定する。そして、図１０（ａ）に示すように、そのレイアウトが設定されたページ画像のデータを表示パネル２６０ａに表示させると共に、前記ステップＳ４０３で設けられた空き領域に前記ステップＳ４０２で生成された描画データを表示させる第１のコンテンツ表示処理を実行してから、この演算処理を終了する。
【００４５】
一方、前記ステップＳ４０５では、表示対象コンテンツの文書データに含まれる各ページのページ画像のデータから互いに同じ位置に形成される空き領域を検索する。
次にステップＳ４０６に移行して、前記ステップＳ４０５で検索された空き領域内に、ページの縁部分に沿って形成され且つ各辺が１cm以上の長方形状の空き領域があるか否かを判定する。そして、当該長方形上の空き領域がある場合には（Ｙｅｓ）ステップＳ４０７に移行し、空き領域がない場合には（Ｎｏ）ステップＳ４０９に移行する。
【００４６】
前記ステップＳ４０７では、前記ステップＳ４０６で「ある」と判定された空き領域に表示させる閲覧情報の描画データを生成する。
前記ステップＳ４０８では、図１０（ｂ）に示すように、表示対象コンテンツのページ画像のデータをそのまま表示パネル３０ａに表示させると共に、前記ステップＳ４０６で「ある」と判定された空き領域に前記ステップＳ４０７で生成された描画データを表示させる第２のコンテンツ表示処理を実行してから、この演算処理を終了する。
【００４７】
一方、前記ステップＳ４０９では、予め決められた大きさで閲覧情報の描画データを生成する。
次にステップＳ４１０に移行して、図１０（ｃ）に示すように、前記ステップＳ４０９で生成された描画データを表示パネル２６０ａの右下隅に表示させると共に、その描画データと重ならないように、表示対象コンテンツのページ画像のデータを表示パネル３０ａに縮小して左上隅側に表示させる第３のコンテンツ表示処理を実行してから、この演算処理を終了する。
【００４８】
＜情報表示装置の具体的な動作＞
次に、本実施形態の情報表示装置１の動作を具体的な状況に基づいて説明する。
【００４９】
まず、ユーザがコンテンツを表示させる操作を操作部２に行ったとする。すると、操作部２の指紋認証部１００（ＣＰＵ１０）によって、指紋認証処理が実行され、図４に示すように、まずそのステップＳ１０１で、指紋要求画面表示処理が実行される。そして、表示駆動部３０によって、図５に示すように、「指紋認証を行います。指紋読み取り部を指でなぞってください。」というメッセージが表示パネル３０ａに表示される。
【００５０】
そのメッセージを見たユーザが指紋読み取り部４０を指でなぞったとする。すると、指紋読み取り部４０によって、なぞった指の指紋パターンが読み取られる。また、ステップＳ１０２で、その読み取られた指紋パターンの情報が読み込まれ、ユーザＩＤが「００１０００１」のユーザであったとすると、ステップＳ１０３の判定が「Ｙｅｓ」となり、ステップＳ１０４で、そのユーザＩＤの認証時間として現在の時刻が設定される。
【００５１】
すると、操作部２のキー解除部１１０（ＣＰＵ１０）によって、キー解除処理が実行され、図６（ａ）に示すように、まずそのステップＳ２０１の判定が「Ｙｅｓ」となり、ステップＳ２０２で、文書キーの送信を要求する要求信号が表示部３に送信される。
また、表示部３の閲覧情報合成部３００（ＣＰＵ２２０）によって、図６（ｂ）に示すように、まずそのステップＳ２０１で、操作部２から送信される要求信号が受信され、さらに、表示対象文書キーが操作部２に送信される。
【００５２】
すると、操作部２のキー解除処理によって、ステップＳ２０２で、表示部３から送信された文書キーが受信され、ステップＳ２０３で、パスワード要求画面表示処理が実行される。そして、表示駆動部３０によって、図７に示すように、「パスワードを入力してください。」というメッセージが表示パネル３０ａに表示される。
そのメッセージを見たユーザが、キーボード５０を操作して適切なパスワードを入力したとする。すると、ステップＳ２０４の判定が「Ｙｅｓ」となり、ステップＳ２０５で、前記受信された文書キーとキーボード５０で入力されたパスワードとが合致する旨を通知する合致通知と、前記認証時間に対応するユーザＩＤとが表示部３に送信される。
【００５３】
すると、表示部３の閲覧情報合成処理によって、ステップＳ３０２で、操作部２から送信される合致通知が受信され、ステップＳ３０３の判定が「Ｙｅｓ」となり、ステップＳ３０４で、図９に示すように、閲覧情報付き表示処理が実行される。
ここで、表示対象コンテンツの文書データに含まれるページ画像データがテキストデータを含むものであったとする。すると、まずそのステップＳ４０１の判定が「Ｙｅｓ」となり、ステップＳ４０２で、表示対象コンテンツの文書データに含まれるタイトル及び閲覧情報と、前記受信されたユーザＩＤとを含む閲覧情報の描画データが生成される。また、ステップＳ４０３で、ページテンプレートの右下隅に、前記閲覧情報の描画データを表示するための空き領域を設けられ、ステップＳ４０４で、第１のコンテンツ表示処理が実行される。そして、ＮＶＲＡＭ２４０、グラフィックアクセラレータ２５０及び表示駆動部２６０によって、その空き領域が形成されたページテンプレートに基づいて、表示対象コンテンツのページ画像のデータのレイアウトが設定され、図１０（ａ）に示すように、そのレイアウトが設定されたページ画像のデータが表示パネル２６０ａに表示されると共に、前記設けられた空き領域に閲覧情報の描画データが表示される。
【００５４】
一方、表示対象コンテンツの文書データに含まれるページ画像データがテキストデータを含まないものであったとする。すると、前記ステップＳ４０１の判定が「Ｎｏ」となり、ステップＳ４０５で、表示対象コンテンツの文書データに含まれる各ページのページ画像のデータから互いに同じ位置に形成される空き領域が検索され、また、その検索された空き領域内に、ページの縁部分に沿って形成され且つ各辺が１cm以上の長方形状の空き領域があったとする。すると、ステップＳ４０６の判定が「Ｙｅｓ」となり、ステップＳ４０７で、その空き領域に表示させる閲覧情報の描画データが生成され、ステップＳ４０８で、第２のコンテンツ表示処理が実行される。そして、ＮＶＲＡＭ２４０、グラフィックアクセラレータ２５０及び表示駆動部２６０によって、図１０（ｂ）に示すように、表示対象コンテンツのページ画像のデータが表示パネル３０ａにそのまま表示されると共に、前記空き領域に閲覧情報の描画データが表示される。
【００５５】
また一方、前記ステップＳ４０５で検索された空き領域内に、ページの縁部分に沿って形成され且つ各辺が１cm以上の長方形状の空き領域がなかったとする。すると、前記ステップＳ４０６の判定が「Ｎｏ」となり、ステップＳ４０９で、予め決められた大きさで閲覧情報の描画データが生成され、ステップＳ４１０で、第３のコンテンツ表示処理が実行される。そして、ＮＶＲＡＭ２４０、グラフィックアクセラレータ２５０及び表示駆動部２６０によって、図１０（ｃ）に示すように、閲覧情報の描画データが表示パネル２６０ａの右下隅に表示されると共に、その描画データと重ならないように、表示対象コンテンツのページ画像のデータが表示パネル３０ａに縮小して左上隅側に表示される。
【００５６】
このように、本実施形態の情報表示装置１にあっては、表示対象コンテンツの属性に応じた形式で、互いに異なる領域に、表示対象コンテンツ及び閲覧情報を表示するようにした。そのため、表示対象コンテンツと閲覧情報とが重なることを防止することができる。そのため、表示対象コンテンツに閲覧情報を中間調で重ねて（ウォーターマーク形式で）表示する方法と異なり、中間調の表現力が乏しい記憶性表示体を用いた場合に、表示対象コンテンツや閲覧情報が見づらくなってしまうことを防止することができる。
【００５７】
また、閲覧情報として、表示対象コンテンツを表示させた現在及び過去のユーザの情報（閲覧履歴）を含むようにした。そのため、コンテンツのデータが複数のユーザ間で受け渡しされた場合には、その受け渡しの経路を調査することができる。
以上、図９のステップＳ４０１〜Ｓ４１０が特許請求の範囲に記載の表示手段を構成する。
【００５８】
なお、本発明の情報表示装置は、上記実施の形態の内容に限定されるものではなく、本発明の趣旨を逸脱しない範囲で適宜変更可能である。
上記実施形態では、表示パネル２６０ａに表示対象コンテンツを表示する例を示したが、これに限られるものではない。例えば、その表示された表示対象コンテンツを印刷できるようにしてもよい。
【図面の簡単な説明】
【００５９】
【図１】本発明を適用した情報表示装置の内部構成を示すブロック図である。
【図２】ユーザ情報の構成を説明するための説明図である。
【図３】文書データの構成を説明するための説明図である。
【図４】指紋認証処理を示すフローチャートである。
【図５】操作部の表示パネルの表示状態を説明するための説明図である。
【図６】キー解除処理及び閲覧情報合成処理を示すフローチャートである。
【図７】操作部の表示パネルの表示状態を説明するための説明図である。
【図８】表示部の表示パネルの表示状態を説明するための説明図である。
【図９】閲覧情報付き表示処理を示すフローチャートである。
【図１０】情報表示装置の動作を説明するための説明図である。
【符号の説明】
【００６０】
１は情報表示装置、２は操作部、３は表示部、１０はＣＰＵ、２０はプログラム記憶部、３０は表示駆動部、３０ａは表示パネル、４０は指紋読み取り部、５０はキーボード、６０は電源、７０はデータＩ／Ｆ、１００は指紋認証部、１１０はキー解除部、２００はデータＩ／Ｆ、２１０はストレージ、２２０はＣＰＵ、２３０はプログラム記憶部、２４０はＮＶＲＡＭ、２５０はグラフィックアクセラレータ、２６０は表示駆動部、２６０ａは表示パネル、２６１は画素書き込み部、２７０は入力制御部、２７０ａは入力制御装置、２８０は電源、３００は閲覧情報合成部、３１０は解析・整形部、３２０は描画処理部
【図１】
2006261727.tif 000003
【図２】
2006261727.tif 000004
【図３】
2006261727.tif 000005
【図４】
2006261727.tif 000006
【図５】
2006261727.tif 000007
【図６】
2006261727.tif 000008
【図７】
2006261727.tif 000009
【図８】
2006261727.tif 000010
【図９】
2006261727.tif 000011
【図１０】
2006261727.tif 000012
【手続補正書】
【提出日】平成18年1月12日(2006.1.12)
【手続補正１】
【補正対象書類名】明細書
【補正対象項目名】００３６
【補正方法】変更
【補正の内容】
【００３６】
次に、操作部２のキー解除部１１０（ＣＰＵ１０）で実行されるキー解除処理を図６（ａ）のフローチャートに従って説明する。このキー解除処理は、前記指紋認証処理によって認証時間が設定されると実行される処理であって、図６（ａ）に示すように、まずそのステップＳ２０１で、ユーザ情報に認証時間が設定されているユーザがいるか否かを判定する。そして、当該ユーザがいる場合には（Ｙｅｓ）ステップＳ２０２に移行し、当該ユーザがいない場合には（Ｎｏ）この演算処理を終了する。
【手続補正２】
【補正対象書類名】明細書
【補正対象項目名】００４０
【補正方法】変更
【補正の内容】
【００４０】
次に、表示部３の閲覧情報合成部３００、及び解析・整形部３１０（ＣＰＵ２２０）で実行される閲覧情報合成処理を図６（ｂ）のフローチャートに従って説明する。この閲覧情報合成処理は、前記指紋認証処理によって認証時間が設定されると実行される処理であって、図６（ｂ）に示すように、そのステップＳ３０１で、操作部２から要求信号が表示部３に出力されると、表示対象コンテンツの文書キーを操作部２に送信してから、ステップＳ３０２に移行する。 
【手続補正３】
【補正対象書類名】明細書
【補正対象項目名】００４２
【補正方法】変更
【補正の内容】
【００４２】
前記ステップＳ３０４では、閲覧情報付き表示処理を実行してから、この演算処理を終了する。 
一方、前記ステップＳ３０５では、図８に示すように、表示対象コンテンツを表示することができない旨を通知するメッセージ（例えば、「パスワードを解除できなかったので、この文書を表示できません。」）を表示パネル３０ａに表示させる文書表示不可通知処理を実行してから、この演算処理を終了する。 
【手続補正４】
【補正対象書類名】明細書
【補正対象項目名】００４６
【補正方法】変更
【補正の内容】
【００４６】
前記ステップＳ４０７では、前記ステップＳ４０６で「ある」と判定された空き領域に表示させる閲覧情報の描画データを生成する。 
前記ステップＳ４０８では、図１０（ｂ）に示すように、表示対象コンテンツのページ画像のデータをそのまま表示パネル２６０ａに表示させると共に、前記ステップＳ４０６で「ある」と判定された空き領域に前記ステップＳ４０７で生成された描画データを表示させる第２のコンテンツ表示処理を実行してから、この演算処理を終了する。 
【手続補正５】
【補正対象書類名】明細書
【補正対象項目名】００４７
【補正方法】変更
【補正の内容】
【００４７】
一方、前記ステップＳ４０９では、予め決められた大きさで閲覧情報の描画データを生成する。 
次にステップＳ４１０に移行して、図１０（ｃ）に示すように、前記ステップＳ４０９で生成された描画データを表示パネル２６０ａの右下隅に表示させると共に、その描画データと重ならないように、表示対象コンテンツのページ画像のデータを表示パネル２６０ａに縮小して左上隅側に表示させる第３のコンテンツ表示処理を実行してから、この演算処理を終了する。 
【手続補正６】
【補正対象書類名】明細書
【補正対象項目名】００５４
【補正方法】変更
【補正の内容】
【００５４】
一方、表示対象コンテンツの文書データに含まれるページ画像データがテキストデータを含まないものであったとする。すると、前記ステップＳ４０１の判定が「Ｎｏ」となり、ステップＳ４０５で、表示対象コンテンツの文書データに含まれる各ページのページ画像のデータから互いに同じ位置に形成される空き領域が検索され、また、その検索された空き領域内に、ページの縁部分に沿って形成され且つ各辺が１cm以上の長方形状の空き領域があったとする。すると、ステップＳ４０６の判定が「Ｙｅｓ」となり、ステップＳ４０７で、その空き領域に表示させる閲覧情報の描画データが生成され、ステップＳ４０８で、第２のコンテンツ表示処理が実行される。そして、ＮＶＲＡＭ２４０、グラフィックアクセラレータ２５０及び表示駆動部２６０によって、図１０（ｂ）に示すように、表示対象コンテンツのページ画像のデータが表示パネル２６０ａにそのまま表示されると共に、前記空き領域に閲覧情報の描画データが表示される。 
【手続補正７】
【補正対象書類名】明細書
【補正対象項目名】００５５
【補正方法】変更
【補正の内容】
【００５５】
また一方、前記ステップＳ４０５で検索された空き領域内に、ページの縁部分に沿って形成され且つ各辺が１cm以上の長方形状の空き領域がなかったとする。すると、前記ステップＳ４０６の判定が「Ｎｏ」となり、ステップＳ４０９で、予め決められた大きさで閲覧情報の描画データが生成され、ステップＳ４１０で、第３のコンテンツ表示処理が実行される。そして、ＮＶＲＡＭ２４０、グラフィックアクセラレータ２５０及び表示駆動部２６０によって、図１０（ｃ）に示すように、閲覧情報の描画データが表示パネル２６０ａの右下隅に表示されると共に、その描画データと重ならないように、表示対象コンテンツのページ画像のデータが表示パネル２６０ａに縮小して左上隅側に表示される。 
【手続補正８】
【補正対象書類名】図面
【補正対象項目名】図６
【補正方法】変更
【補正の内容】
【図６】
2006261727.tif 000013